(57)【要約】【課題】芳香の強さが変わらずに長期間維持されるロールペーパーを提供する。【解決手段】  ２０℃における蒸気圧が２０〜１５０Ｐａのマイクロカプセル化した香料と、２０℃での蒸気圧が１０〜５００Ｐａの香料をマイクロカプセルに封入したマイクロカプセル化しない香料とを、重量比で２：１〜１：２の割合で、紙管に付与したトイレットロールにより解決される。【選択図】図２
2014193755.tif 000002
【特許請求の範囲】
【請求項１】
紙管に香料が付与されたトイレットロールであって、
２０℃における蒸気圧が２０〜１５０Ｐａのマイクロカプセル化しない香料と、２０℃における蒸気圧が１０〜５００Ｐａの香料をマイクロカプセルに封入したマイクロカプセル化香料と、が重量比で２：１〜１：２の割合で、紙管に付与されていることを特徴とするトイレットロール。
【請求項２】
前記マイクロカプセル化香料及びマイクロカプセル化しない香料は、粘度が１〜１５ｍＰａｓである請求項１記載のトイレットロール。
【請求項３】
マイクロカプセルが、メラミン樹脂製である請求項１又は２記載のトイレットロール。
【請求項４】
マイクロカプセル化香料における香料含有率が２５〜６０重量％である請求項１又は２記載のトイレットロール。
【請求項５】
マイクロカプセル化香料とマイクロカプセル化されていない香料がともに紙管外周面に付与されている請求項１〜４の何れか１項に記載のトイレットロール。
【請求項６】
マイクロカプセル化香料が紙管外周面、マイクロカプセル化されていない香料が紙管内周面に付与されている請求項１〜４の何れか１項に記載のトイレットロール。
【請求項７】
マイクロカプセル化香料が紙管内周面、マイクロカプセル化されていない香料が紙管外周面に付与されている請求項１〜４の何れか１項に記載のトイレットロール。
【発明の詳細な説明】
【技術分野】
【０００１】
本発明は、香料が付与されたトイレットロールに関する。
【背景技術】
【０００２】
トイレットロールに香料を付与して芳香機能をもたせたものがある。この香料付トイレットロールでは、トイレットペーパーにマイクロカプセル化した香料を付与したものがよく知られる。しかし、トイレットペーパーは、肌に直接触れるためマイクロカプセル化した香料を付与したものであると、使用時にマイクロカプセルから漏出した香料が肌に移るという問題がある。そこで、肌に香りを移すことなくトイレ空間に好ましい芳香を漂わせるために、トイレットペーパーが巻かれる紙管に香料を付与したものが提案されている。
【０００３】
しかし、香料によるトイレ空間内の香り付けは、香料の揮発によって行なわれるため、単に紙管に香料を塗布しただけでは、香りの持続期間が短いという問題があった。特に、揮発性の高い香料を長期間（例えば、製造から３ヶ月間）持続させることが困難であり、そのような揮発性の高い香料に係る香気とするのが難しかった。
【０００４】
この問題を解決する技術として、紙管を複数枚の紙を接着剤により接着した積層構造として、その接着剤に香料を含有させて紙と透過して香料が揮散するようにして徐放性を有するようにした技術、香料をマイクロカプセルに封入して、トイレットロール使用時の回転の衝撃によってマイクロカプセルを崩壊させることで香気をトイレットロールの使用時のみ揮散するようにした技術が知られる。
【０００５】
しかしながら、前者は紙管製造工程が煩雑となる問題があり、後者はマイクロカプセルが崩壊しない限り芳香成分が飛散しないため、トイレットロールの使用開始時や使用していない間は香りが発生せず、トイレ空間内の芳香の強さが安定しない。
【０００６】
そこで、本発明の主たる課題は、使用時に香料が肌に付着することがなく、かつ、製造が容易であり、しかも、初期から香りが感じられ、使い終わりまでのその香りの強さが安定的に発せられ、トイレ空間内を香りの強さの変化なく継続的に香るようにすることができる、香料付きトイレットロールを提供することにある。
【先行技術文献】
【特許文献】
【０００７】
【特許文献１】特開２００８−２００１２４号公報
【特許文献２】特許３６１５５３４号
【特許文献３】特開２００３−３２５３７２号公報
【特許文献４】特開２０１２−１９６３８２号公報
【特許文献５】特開平１１−１９７０５４号公報
【特許文献６】特開２００９−２４２０６５号公報
【発明の概要】
【発明が解決しようとする課題】
【０００８】
そこで、本発明の主たる課題は、使用時に香料が肌に付着することがなく、しかも、初期から香りが感じられ、使い終わりまでのその香りの強さが安定的に発せられ、トイレ空間内を香りの強さの変化なく継続的に香るようにすることができる、香料付きトイレットロールを提供することにある。
【課題を解決するための手段】
【０００９】
上記課題を解決した本発明とその効果は次記のとおりである。
（請求項１記載の発明）
紙管に香料が付与されたトイレットロールであって、
２０℃における蒸気圧が２０〜１５０Ｐａのマイクロカプセル化しない香料と、２０℃における蒸気圧が１０〜５００Ｐａの香料をマイクロカプセルに封入したマイクロカプセル化香料と、が重量比で２：１〜１：２の割合で、紙管に付与されていることを特徴とするトイレットロール。
【００１０】
（請求項２記載の発明）
前記マイクロカプセル化香料及びマイクロカプセル化しない香料は、粘度が１〜１５ｍＰａｓである請求項１記載のトイレットロール。
【００１１】
（請求項３記載の発明）
マイクロカプセルが、メラミン樹脂製である請求項１又は２記載のトイレットロール。
【００１２】
（請求項４記載の発明）
マイクロカプセル化香料における香料含有率が２５〜６０重量％である請求項１又は２記載のトイレットロール。
【００１３】
（請求項５記載の発明）
マイクロカプセル化香料とマイクロカプセル化されていない香料がともに紙管外周面に付与されている請求項１〜４の何れか１項に記載のトイレットロール。
【００１４】
（請求項６記載の発明）
マイクロカプセル化香料が紙管外周面、マイクロカプセル化されていない香料が紙管内周面に付与されている請求項１〜４の何れか１項に記載のトイレットロール。
【００１５】
（請求項７記載の発明）
マイクロカプセル化香料が紙管内周面、マイクロカプセル化されていない香料が紙管外周面に付与されている請求項１〜４の何れか１項に記載のトイレットロール。
【発明の効果】
【００１６】
以上の本発明によれば、使用時に香料が肌に付着することがなく、しかも、初期から香りが感じられ、使い終わりまでのその香りの強さが安定的に発せられ、トイレ空間内を香りの強さの変化なく継続的に香るようにすることができる、香料付きのトイレットロールが提供される。
【図面の簡単な説明】
【００１７】
【図１】本発明の実施形態に係るトイレットロールの斜視図である。
【図２】本発明の実施形態に係る紙管の断面図である。
【発明を実施するための形態】
【００１８】
本発明の実施形態を図１〜２を参照しながら以下に説明する。但し、本発明は、この実施形態に限られない。
【００１９】
本発明の実施形態に係るトイレットロール１０は、図１に示すとおり、紙管１１に帯状の家庭用薄葉紙であるトイレットペーパー１２が巻かれたものである。トイレットロール１０の大きさ等は、幅Ｌ１が１００〜１１５ｍｍ、直径Ｌ２が１００〜１２０ｍｍ、巻き長さ（トイレットペーパーの全長）が１８〜７０ｍ、紙管内径Ｌ３が３５〜５０ｍｍであるのが望ましい。この大きさであれば一般的なトイレットロール用のペーパーホルダーが利用でき、トイレットペーパーの長さも十分である。
【００２０】
トイレットペーパー１２は、微細な凹凸であるクレープを有する家庭用薄葉紙である。その具体的な組成・構成は限定されないが、１プライから３プライであり、紙厚が１００〜３５０μｍであり、１プライ当り米坪は、１１．０〜２５．０ｇ／ｍ2であるのが望ましい。この範囲であれば使用時の柔らかさや吸水性を確保できる。
【００２１】
なお、本発明に係る米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。なお、米坪の測定は、１プライの場合は１プライ、２プライの場合は２プライ、３プライの場合は３プライと、プライ数に応じて測定する。
【００２２】
本実施形態のトイレットロール１０の紙管１１の構造は限定されない。二枚の紙管原紙がともに螺旋状に巻かれて筒状をなした二層積層構造のスパイラル紙管、平巻き紙管を用いることができる。好ましくは、米坪１２０〜２２０ｇ／ｍ2、紙厚１５０〜５００μｍの紙管原紙を螺旋状に巻いて二層積層構造にしたスパイラル紙管が望ましい。紙管の強度が高く、かつ、後述の香料を付着させやすい。
【００２３】
他方、本実施形態に係るトイレットロールは、特徴的に、上記紙管に対して２０℃における蒸気圧が２０〜１５０Ｐａのマイクロカプセル化しない香料（第１香料）と、２０℃における蒸気圧が１０〜５００Ｐａの香料（第２香料）をマイクロカプセルに封入したマイクロカプセル化香料と、が重量比で２：１〜１：２の割合で、紙管に付与されている。なお、本発明に係る蒸気圧は、２０℃で静止法にて測定した値である。このように所定蒸気圧のマイクロカプセル化されていない香料と所定蒸気圧の香料を封入したマイクロカプセル化香料とを所定比率で付与することで、マイクロカプセル化されていない香料の経時的な香気の低下と、マイクロカプセルの外殻を透過して外部に拡散される香料による香気の持続的な補助と、使用時にマイクロカプセルが崩壊して香料が漏出することによる香気の強調効果とのバランスによって、使用初期から使い終わりまで適当な強さの香りが安定して維持されるようになる。なお、トイレットロールの使用時とは、トイレ空間内でペーパーホルダー等にセットして、トイレットロールからトイレットペーパーを引き出すようにして使用することを意味する。この際には、トイレットロールが回転され、その際の振動や紙管内に挿入されるペーパーホルダーの支持部との摺れによってマイクロカプセルが崩壊される。
【００２４】
本実施形態に係るトイレットロールにおいて、第１香料の蒸気圧が２０Ｐａ未満であると特に使用開始初期の香りの強さが不十分となる。一方、第１香料の蒸気圧が１５０Ｐａを超えると香料の揮散が速く成りすぎて、一般的なトイレットロールの使用期間に比して速く香気が感じられなくなってしまう。
【００２５】
一方、第２香料の蒸気圧が１０Ｐａ未満であるとマイクロカプセルの外殻を透過して揮散され難くなり第１香料の香気の補助効果が低減し香りの強さが安定しなくなる。一方、５００Ｐａを超えるとマイクロカプセルが崩壊した際に、漏出した香料の揮散が速く、マイクロカプセルが崩壊した際のみ香りが強くなりすぎて、香りの強さは安定しなくなる。特に、第２香料は、蒸気圧１００Ｐａ以上の香料を３０〜８０重量％含むものであるのが望ましい。また、マイクロカプセル化されていない香料とマイクロカプセル化香料との重量比が２：１〜１：２の範囲にないと香りの強さが安定しなくなる。
【００２６】
第１香料と第２香料の蒸気圧は、より好ましくは、マイクロカプセル化する第２香料の蒸気圧をより高くするのが望ましい。マイクロカプセルの外殻を透過して外部に拡散される香料による香気の持続的な補助がより効果的に行なわれるようになる。また、第１香料の蒸気圧が第２香料の蒸気圧より高くなると、香りの強さが安定しなくなる。
【００２７】
他方、本実施形態に係る第１香料及び第２香料に用いる好ましい香料成分の例としては、酢酸イソブチル（１７３０Ｐａ）、リモネン（１９０Ｐａ）、シトラール（１２１Ｐａ）メントール（１０７Ｐａ）、ヘキサノール（１００Ｐａ）が例示できる。これらを適宜配合して、水、アルコール、アルコール誘導体、脂肪酸、エステル類等の揮発性の低い適宜の溶媒により所望の蒸気圧に調整して本実施形態に係る香料とすることができる。上記例示の香料成分であれば、酢酸イソブチル３〜５重量％、リモネン２５〜３５重量％の割合で配合し、適宜の溶媒で希釈することで、上記の蒸気圧に調整することができる。
【００２８】
なお、本実施形態では、その他の香料成分として、例えば、レモン油、グレープフルーツ油、ローズマリー油、ペパーミント油、マンダリン油、ライム油、ユズ油、カモミール油、ラベンダー油、ローズ油、スペアミント油等の天然香料類；リナロール、シトロネロール、メントール、ゲラニオール等のアルコール類等の合成香料、２−メチルブタン酸エチル、β−ピネン、酢酸イソアミル、２−メチルペンタン酸エチル、β-ミルセン、ヘキサン酸エチル、酢酸３−メチル−２−ブテン−１−オール、酢酸３−ヘキセン−１−オール、テトラヒドロ−４−メチル−２−（−２−メチルプロピル）−２Ｈ−ピラン、イソシクロシトラール、２，４−ジメチル−７−オクテン−２−オール、３，７−ジメチル−１，６−オクタデン−３−オール、酢酸  ４−ｔｅｒｔ−ブチルシクロヘキシル、２−（１，１−ジメチルエチル）−シクロヘキサノール、酢酸１−フェニルエチル、ブタン酸１，１−ジメチル−２−フェニルエチル等の化学物質が挙げられる。これらは単独で用いても、複数を組み合わせて調合香料として用いてもよい。香料の選択は、所望の香調によって決定すればよい。また、これらの香料は、本実施形態に係る所望の蒸気圧に調整するためにアルコール等の揮発性溶媒や水に混合して使用することができる。
【００２９】
なお、第１香料と第２香料とは、同一のものであってもよいし、異なるものであってもよい。第１香料と第２香料とを異なるものとすれば、香りの強さを変化せずに香りが経時的に変化するものとなる。
【００３０】
他方、第１香料と第２香料は、ともに粘度が１〜１５ｍＰａｓであるのが望ましい。第１香料の粘度が１〜１５ｍＰａｓであると紙管に付着しやすくなる。また、第２香料の粘度が１〜１５ｍＰａｓであると、マイクロカプセルが崩壊して漏出した際に紙管表面に拡散して付着するようになり、マイクロカプセル化されていない香料を追加したように作用して、第１香料の香気の低下が効果的に補われる。
【００３１】
本実施形態に係るマイクロカプセル化香料の外殻を構成する樹脂は、特にメラミン樹脂であるのが望ましい。メラミン樹脂は、ウレタン樹脂や尿素樹脂と比較して密度が高く、徐放時間を長くすることができ、トイレットロールの使用期間が長期化しても香りの強さ維持しやすくなる。さらに上述のトイレットロールの通常の使用態様で適度に崩壊する強度となる。なお、ウレタン樹脂や尿素樹脂は膜密度が高く、徐放性や崩壊性が低く、好ましくない。マイクロカプセルの形成方法は、本発明では特に限定されない。インサイチュ法、界面重合法等の化学的方法から適宜選択すればよい。本実施形態では、マイクロカプセルの膜厚は、特に限定されないが、概ね、０．１〜１．０μｍ、好ましくは０．１〜０．５μｍである。
【００３２】
他方、本実施形態に係るマイクロカプセル化香料の平均粒子径は、１０〜５０μｍであるのが望ましい。この範囲であれば、カプセル重量に対する香料比を大きくすることができ所望の徐放性を得ることができる。但し、カプセル径が大きくなると製造時にカプセルが破壊されて歩留まりが低下するおそれがあるため、より好ましいマイクロカプセル化香料の平均粒径は、１０〜２０μｍである。なお、ここでの平均粒子径は、マイクロトラック法で測定したメジアン径による。
【００３３】
本実施形態に係るマイクロカプセル化香料は、トイレットロールに塗布するカプセルスラリーに対する香料含有率が２５〜６０重量％であるのが望ましい。
【００３４】
本実施形態に係るトイレットロールにおける第１香料及びマイクロカプセル化香料の紙管への付与位置は、特に限定されない。また、第１香料とマイクロカプセル化香料は、混合されて同一箇所に付与されていてもよいし、紙管の別の箇所に付与されていてもよい。
【００３５】
但し、本実施形態に係るトイレットロールにおける第１香料とマイクロカプセル化香料の付与態様は、図２（ａ）〜（ｃ）に示される態様が好ましい。特に図２（ａ）に示される態様が特に好ましい。
【００３６】
図２（ａ）に示される態様は、第１香料とマイクロカプセル化香料とが紙管の外周面に付与されている態様である。この態様では、トイレットロールは紙管外周面にトイレットペーパーが巻かれた構造をなすため、紙管外周面に付与されて第１香料とマイクロカプセル化香料とがともにトイレットペーパーにより被覆された状態となる。その結果、第１香料が紙管に巻かれたトイレットペーパーやトイレットロールの端面から揮散されるようになるため、第１香料の香気が急激に低下することがない。また、使用時にマイクロカプセルの崩壊により漏出した香料も上記紙管外周面のトイレットペーパーに被覆された位置に付与されるため第１香料を補うようになる。よって、この図（ａ）の付与態様は、香りの安定性及び持続性に優れたものとなる。
【００３７】
また、図２（ｂ）に示される態様は、第１香料が紙管外周面に付与され、マイクロカプセル化香料が紙管内周面に付与されている態様である。この態様では、使用時にペーパーホルダーの支持部と直接摺れる紙管内周面にマイクロカプセル化香料が付与されているため、マイクロカプセルが崩壊しやすく、また、マイクロカプセルから漏出した第２香料が紙管内面に暴露されるため、図２（ａ）よりも、使用時にやや香り強く感じられるものとなる。
【００３８】
図２（ｃ）に示される態様は、第１香料が紙管内周面に付与され、マイクロカプセル化香料が紙管外周面に付与されている態様である。本形態は、第１香料が紙管内周面に暴露されているため、第１香料が揮散しやすい。よって、本願発明の範囲内において蒸気圧をやや低くする。それに伴ってやや香りの強さが図２（ａ）や（ｂ）よりも低くなる傾向となる。
【００３９】
なお、図示例では、紙管内周面又は紙管外周面の一部に付与しているが、紙管内周面全体、紙管外周面全体に付与してもよい。
【００４０】
本実施形態のトイレットロールを形成するにあたって紙管に第１香料及びマイクロカプセル化香料を付与する具体的な方法は限定されない。紙管を形成するための紙管原紙に各香料を付与してから紙管に形成してもよいし、トイレットロールを巻き付ける前の紙管に香料を付与するようにしてもよい。香料の付与は、ブレードコーター、ロッドコーター、フレキソコーター、グラビアコーターのような印刷機やスプレー塗布装置により行なうことができる。
【００４１】
また、第１香料とマイクロカプセル化香料との塗布量比は、第１香料に対するマイクロカプセル化香料の量が０．５〜２．０であり、望ましくは０．７〜１．３とするのが望ましい。
【００４２】
［試験例］
次いで、第１香料とマイクロカプセル化香料をともに１５０μｌ紙管に付与した本発明の実施例と、マイクロカプセル化していない第１香料のみを３００μｌを紙管に付与した基準試料と、を作成し、その香り強さと持続性を比較検証した。試験の結果は下記表１のとおりである。
【００４３】
（香料の調整）
酢酸イソブチル、リモネンを香料成分として、粘度１１ｍＰａｓに希釈して本件発明に係る蒸気圧とした香料を調整し、これを第１香料及び第２香料とした。第２香料を用いて外殻メラミン樹脂、香料含有量３５％のマイクロカプセル化香料を作成した。
【００４４】
（試料に係るトイレットロールの概要）
第１香料、マイクロカプセル化香料を付与した紙管にトイレットペーパーを巻いたトイレットロールを製造した。紙管に用いた紙管原紙の米坪は１７０ｇ／ｍ2、厚みは２００μｍである。トイレットペーパーは、米坪１４．５ｇ／ｍ2であり、紙管に対して２５ｍ巻き付けた。その際の直径は１０７ｍｍであった。
紙管に対する第１香料及びマイクロカプセル化香料の付与態様は、図２（ａ）の態様とした。
【００４５】
（試験方法）
各試料をポリエチレン製の袋にいれて密封し、５０℃、ＲＨ５０％の環境下に保存し、所定日数で取り出して、香気の強さを確認した。香気の強さの確認は３名のテスターにより行なった。なお、この環境下での保存は、１日が概ねトイレットロールの通常の保存環境下の２．３ヶ月間に相当する。
【００４６】
【表１】
2014193755.tif 000003
【００４７】
表１は、実施例と基準試料との香りの強さを不等号で示している。１日目は、マイクロカプセル化していない香料のみの基準試料の方で香りが強く感じられたものの、２日目、３日目では、実施例の方で香りが強く感じられている。９．２ヶ月に相当する４日目になり、ようやく実施例は比較例と同等の香りの強さに低下した。
【００４８】
このことから、本発明に係る実施例は、基準試料よりも適度な香りの強さが持続的に感じられるといえる。
【００４９】
なお、本試験は使用時のマイクロカプセルの崩壊を考慮してない試験であり、実使用においては、マイクロカプセル崩壊によるマイクロカプセル化香料の補充的な香気の増加効果が得られるためより香りの強さの差はより顕著になり、その持続時間も長くなる。また、実使用では、ペーパーホルダーへのセット時にマイクロカプセルの崩壊が生ずるので、初期の香りの差はより少なくなる傾向となる。
【符号の説明】
【００５０】
１０…トイレットロール、１１…紙管、１１Ａ…紙管内面、１１Ｂ…紙管外面、１２…トイレットペーパー、Ｌ１…ロールペーパーの幅、Ｌ２…ロールペーパーの直径、Ｌ３…紙管内径、２１…第１香料付与位置（マイクロカプセル化されていない香料の付与位置）、２２…マイクロカプセル化香料付与位置。
【図１】
2014193755.tif 000004
【図２】
2014193755.tif 000005